(57)【要約】【課題】  厚さ寸法が広範囲にある折丁に対しても、確実に１部ずつ次の処理工程へと送り出すことができるようにする。【解決手段】  折丁積載部１００の下層から送出された折丁が通過する第１のゲート３００を設ける。この第１のゲート３００を通過して来た折丁に対し、最下層の１部のみを通過させる第２のゲート４００を設ける。この第２のゲート４００の折丁が通過する間隔を折丁の厚さ寸法に合わせて調整し、その通過部数が１部となるようにする折丁通過間隔調整手段５００を設ける。【選択図】        図１
2006143463.tif 000002
【特許請求の範囲】
【請求項１】
配達単位に折り畳まれた新聞・雑誌類の折丁を、次の処理工程へと送出するための折丁供給装置であって、次の各構成を有することを特徴とする折丁供給装置。
（イ）前記折丁を複数部積載しておく折丁積載部
（ロ）前記折丁積載部に積載されている折丁に対し、折丁搬送時、これら折丁のうちの最下層に位置する折丁の下面に摩擦接触してこれら折丁を、その最下層側から、次の処理工程方向へと送出、搬送する搬送路
（ハ）前記折丁積載部の下層から送出された折丁が通過する第１のゲート
（ニ）前記第１のゲートを通過して来た折丁に対し、最下層の１部のみを通過させる第２のゲート
（ホ）前記第２のゲートの折丁が通過する間隔を折丁の厚さ寸法に合わせて調整し、前記第２のゲートを通過する折丁の部数が１部となるようにする折丁通過間隔調整手段
【請求項２】
前記第１のゲートが、前記折丁の幅方向両縁部と対応した部位に設けられ、前記搬送路との間隔が搬送方向前方側程狭くなる形状に形成された第１ゲート板材と、この板材から搬送路方向にはみ出すように取付けられて折丁が通過する間隔を決定する弾性部材と、を備えて成り、前記第２のゲートが、前記折丁に対しその幅方向に延在しかつ前記搬送路と直交する面を有する第２ゲート用保持部材と、この第２ゲート用保持部材の搬送路と直交する面に対し、前記第１のゲートの弾性部材配置位置の内側となる複数箇所に、前記第２ゲート用保持部材から前記搬送路方向にはみ出しかつその折丁通過間隔が前記第１のゲートの弾性部材による折丁通過間隔より狭くなるように配置された第２ゲート弾性部材と、を備えて形成された請求項１記載の折丁供給装置。
【請求項３】
前記第１のゲートの弾性部材及び前記第２のゲートの第２ゲート弾性部材それぞれがウレタン製であり、かつ前記第１のゲートにおける、弾性部材の第１ゲート板材からのはみ出し量を２〜３ｍｍとし、前記第２のゲートにおける、第２ゲート弾性部材の第２ゲート用保持部材からのはみ出し量を０．２〜０．８ｍｍとした請求項２記載の折丁供給装置。
【請求項４】
前記第１のゲートの第１ゲート板材が板ばね製であり、前記第２のゲートの第２ゲート用保持部材が合成樹脂製である、請求項２又は請求項３のいずれか１項に記載の折丁供給装置。
【請求項５】
前記折丁通過間隔調整手段が、前記第１のゲート及び第２のゲートにおける、折丁の通過する間隔方向に加圧するばね部材を含む構造である請求項１乃至請求項４のいずれか１項に記載の折丁供給装置。
【請求項６】
前記搬送路が、その搬送方向に延在、送行する複数本の搬送ベルトを備えて成り、前記折丁積載部が、前記搬送路の複数本の搬送ベルトの間に延在、配置された折丁積載台と、この折丁積載台に対し、折丁搬送方向前方部位に、前記搬送路と直交するように配置されて前記折丁の前方辺部分を当接させる折丁当接板と、を含んで成り、前記折丁通過間隔調整手段が、前記折丁当接板に対し、その面にスライド可能なように配置されてその搬送路側の辺部分に、前記第１のゲートを保持固定し、かつ前記第２のゲートが配置固定された連結板を保持固定して、これら第１のゲート及び第２のゲートの折丁通過間隔を同時に調整可能とした通過間隔調整板を備えて成る、請求項１乃至請求項５のいずれか１項に記載の折丁供給装置。
【発明の詳細な説明】
【技術分野】
【０００１】
本発明は折丁供給装置に関し、特に新聞・雑誌類の折丁を次の処理工程へと送出するための折丁供給装置に関する。
【背景技術】
【０００２】
配達される新聞・雑誌類が、配達等の際に汚れたり、雨天の際に濡れたりするのを防止するために、配達時の大きさに折り畳まれたこれら新聞・雑誌類を、フィルムでラッピングして配達するサービスが従来から行われている。
【０００３】
このようなラッピング作業は、機械化されつつあるものの、人手による場合も多く、折り畳まれた新聞・雑誌類を、ラッピングフィルムの袋の中に手作業で挿入していた。
ラッピング機も次第に普及しつつあるが、このラッピング機も一般的には、手挿入を前提に開発されていて、人が破損しないように新聞・雑誌類を扱うことを期待したものとなっており、このような破損しやすい新聞・雑誌類を傷つけることなく機械挿入できる装置の開発が期待されている。
【０００４】
このような装置は、工場などにおいて新聞・雑誌類を送出搬送する大がかりな装置の例はあるが、新聞販売店に設置可能なような大きさと、簡単な操作で、短時間に誰もが大量にラッピングできる安価な新聞・雑誌類の折丁供給装置が求められている。
【０００５】
これに対し、簡単な構成で新聞・雑誌類の厚さの異なった物を破損することなく無調整で一部ずつ送出するようにした新聞雑誌折丁送出装置が提案されている。
この例について、図３及び図４（ａ），（ｂ）を参照しながら説明する。
この新聞雑誌折丁送出装置は、送出する新聞・雑誌類（以下単に新聞類という。）の両サイドのガイドする側板１ａ，１ｂ、積載された新聞類をその送出前方側で当接させて積載状態とする当て板２、及びこの当て板２と共に側板１ａと側板１ｂとを連結する連結板３により、フレーム５０を構成する。
【０００６】
このフレーム５０内に、当て板２との角度が９０°弱に配置されたすのこ状の積載台Ｈと、そのすのこ状の間に配置されたベルト１８を含む搬送路６０とが形成されている。
また、当て板２には、ばね２８で搬送路６０方向に加圧されて送出される新聞等を一部ずつに制限する送出規制板２５が配置されている。
なお、搬送路６０は可動台６に保持されており、この可動台６がモータを含む昇降駆動部７０により、その送出後端側が昇降するようになっている。
【０００７】
次にこの例における一連の動作について図４（ａ），（ｂ）により説明する。
図４（ａ）の状態は、積載物Ｐ（折丁新聞類）を積載した待機状態を示す。
この状態では、可動台６の送出後端側が降下しており、積載物Ｐは、その最下層のものも送出されることはない。
【０００８】
図４（ｂ）の状態では、昇降駆動部７０により、その送出後端側が上昇し、積載物Ｐの最下層の物がベルト１８との摩擦によって送り出され、これによって送出規制板２５の折り曲げ部Ｂ２が押し上げられて下流側へと搬送される。
この装置では、送出規制板２５の搬送路６０との間隔が積載物Ｐの最も薄いものに合わせて設定されており、それより厚いものは送出規制板２５を上方に押し上げることで、隙間の調整を行うことなく、薄いものから厚いものまで１部ずつ供給できるようにしている（例えば、特許文献１参照）。
【特許文献１】実用新案登録第３０８６３１９号公報（図１乃至図３）
【発明の開示】
【発明が解決しようとする課題】
【０００９】
上述した従来の折丁供給装置は、送出規制板２５と搬送路６０との間の隙間を、積載物Ｐの最も薄いものに合わせて設定し、それより厚いものは、この送出規制板２５を押し上げて送出されることにより、無調整で１部ずつ供給できるようにしているものの、送出される新聞の厚さは、薄いものは頁数で８頁程度であるのに対し、厚いものは４０頁より多い場合もあり、更に広告等が挟み込まれている場合もあって、このような幅広い厚さ寸法のものを１部ずつ供給する必要がある。
【００１０】
最も薄い８頁に合わせて隙間を調整した場合、４０頁のものでは、隙間が小さすぎるため送出規制板２５を押し上げることができず、また、４０頁のものが送出できるようにこの隙間を広げると、今度は薄いものが重なって複数部同時に送出されてしまう、という問題点がある。
また、このような送出規制板２５を、新聞等の厚さにより調整可能としたとしても、下流側程隙間が小さくなるような形状に形成されているため、その入口部分で複数部が同時に入り込まれることになり、常に１部のみを供給することは困難となる。
【００１１】
送られて来る折丁に対して垂直方向に設けられた垂直式ゲートを用いた装置もある。垂直式ゲートは新聞１部分の厚さに隙間が固定されるので、重送・連鎖は起こりにくいものの、隙間の調整が微妙（隙間が新聞よりも少しでも狭いと隙間を通過できずに止まってしまう）で難しいという問題がある。
【００１２】
本発明の目的は上記背景技術の問題点に鑑みて、厚さ寸法が広範囲にある折丁に対しても、確実に１部ずつ次工程へと供給することができる折丁供給装置を提供することにある。
【課題を解決するための手段】
【００１３】
本発明の折丁供給装置は、
配達単位に折り畳まれた新聞・雑誌類の折丁を、次の処理工程へと送出するための折丁供給装置であって、次の各構成を有することを特徴とする。
（イ）前記折丁を複数部積載しておく折丁積載部
（ロ）前記折丁積載部に積載されている折丁に対し、折丁搬送時、これら折丁のうちの最下層に位置する折丁の下面に摩擦接触してこれら折丁を、その最下層側から、次の処理工程方向へと送出、搬送する搬送路
（ハ）前記折丁積載部の下層から送出された折丁が通過する第１のゲート
（ニ）前記第１のゲートを通過して来た折丁に対し、最下層の１部のみを通過させる第２のゲート
（ホ）前記第２のゲートの折丁が通過する間隔を折丁の厚さ寸法に合わせて調整し、前記第２のゲートを通過する折丁の部数が１部となるようにする折丁通過間隔調整手段
【００１４】
また、前記第１のゲートが、前記折丁の幅方向両縁部と対応した部位に設けられ、前記搬送路との間隔が搬送方向前方側程狭くなる形状に形成された第１ゲート板材と、この板材から搬送路方向にはみ出すように取付けられて折丁が通過する間隔を決定する弾性部材と、を備えて成り、前記第２のゲートが、前記折丁に対しその幅方向に延在しかつ前記搬送路と直交する面を有する第２ゲート用保持部材と、この第２ゲート用保持部材の搬送路と直交する面に対し、前記第１のゲートの弾性部材配置位置の内側となる複数箇所に、前記第２ゲート用保持部材から前記搬送路方向にはみ出しかつその折丁通過間隔が前記第１のゲートの弾性部材による折丁通過間隔より狭くなるように配置された第２ゲート弾性部材と、を備えて形成された前記折丁供給装置である。
【００１５】
更に、前記第１のゲートの弾性部材及び前記第２のゲートの第２ゲート弾性部材それぞれがウレタン製であり、かつ前記第１のゲートにおける、弾性部材の第１ゲート板材からのはみ出し量を２〜３ｍｍとし、前記第２のゲートにおける、第２ゲート弾性部材の第２ゲート用保持部材からのはみ出し量を０．２〜０．８ｍｍとした前記折丁供給装置である。
【００１６】
更にまた、前記第１のゲートの第１ゲート板材が板ばね製であり、前記第２のゲートの第２ゲート用保持部材が合成樹脂製である前記折丁供給装置である。
【００１７】
また、前記折丁通過間隔調整手段が、前記第１のゲート及び第２のゲートにおける、折丁の通過する間隔方向に加圧するばね部材を含む構造である前記折丁供給装置である。
【００１８】
更に詳しくは、前記搬送路が、その搬送方向に延在、送行する複数本の搬送ベルトを備えて成り、前記折丁積載部が、前記搬送路の複数本の搬送ベルトの間に延在、配置された折丁積載台と、この折丁積載台に対し、折丁搬送方向前方部位に、前記搬送路と直交するように配置されて前記折丁の前方辺部分を当接させる折丁当接板と、を含んで成り、前記折丁通過間隔調整手段が、前記折丁当接板に対し、その面にスライド可能なように配置されてその搬送路側の辺部分に、前記第１のゲートを保持固定し、かつ前記第２のゲートが配置固定された連結板を保持固定して、これら第１のゲート及び第２のゲートの折丁通過間隔を同時に調整可能とした通過間隔調整板を備えて成る前記折丁供給装置である。
【発明の効果】
【００１９】
本発明の折丁供給装置は、配達単位に折り込まれた新聞・雑誌類の折丁を、次の処理工程へと送出するための装置であって、
上記折丁を複数部積載しておく折丁積載部、及び、
上記折丁積載部に積載されている折丁に対し、折丁搬送時、これら折丁のうちの最下層に位置する折丁の下面に摩擦接触してこれら折丁を、その最下層側から次の処理工程方向へと送出、搬送する搬送路に対し、
上記折丁積載部の下層から送出された折丁が通過する第１のゲートと、
上記第１のゲートを通過して来た折丁に対し、最下層の１部のみを通過させる第２のゲートと、
上記第２のゲートの折丁の通過する間隔を、上記折丁の厚さ寸法に合わせて調整し、上記第２のゲートを通過する折丁の部数が１部となるようにする折丁通過間隔調整手段と、を設けた構成となっているので、次工程への送出される折丁が、まず、第１のゲートにより積層された折丁のうちの最下層又は最下層を含む少数部に制限され、更に第２のゲートにより、そのうちの最下層１部のみに制限されると、これら第１のゲート及び第２のゲートの折丁通過間隔も折丁の厚さ寸法に応じて調整することができ、折丁の厚さ寸法が広い範囲にわたっているような場合でも、確実に１部ずつ供給することができる、という効果がある。
【発明を実施するための最良の形態】
【００２０】
本発明を実施するための最良の形態は、
配達単位に折り畳まれた新聞・雑誌類の折丁を、次の処理工程へと送出するための折丁供給装置であって、次の各構成を有することを特徴とする。
（イ）上記折丁を複数部積載しておく折丁積載部
（ロ）上記折丁積載部に積載されている折丁に対し、折丁搬送時、これら折丁のうちの最下層に位置する折丁の下面に摩擦接触してこれら折丁を、その最下層側から次の処理工程方向へと送出、搬送する搬送路
（ハ）上記折丁積載部の下層から送出された折丁が通過する第１のゲート
（ニ）上記第１のゲートを通過して来た折丁に対し、最下層の１部のみを通過させる第２のゲート
（ホ）上記第２のゲートの折丁が通過する間隔を折丁の厚さ寸法に合わせて調整し、上記第２のゲートを通過する折丁の部数が１部となるようにする折丁通過間隔調整手段
【００２１】
そして、上記第１のゲートが、上記折丁の幅方向両縁部と対応した部位に設けられ、上記搬送路との間隔が搬送方向前方側程狭くなる形状に形成された第１ゲート板材と、この板材から搬送路方向にはみ出すように取付けられて折丁が通過する間隔を決定する弾性部材と、を備えて成り、上記第２のゲートが、上記折丁に対しその幅方向に延在しかつ上記搬送路と直交する面を有する第２ゲート用保持部材と、この第２ゲート用保持部材の搬送路と直交する面に対し、上記第１のゲートの弾性部材配置位置の内側となる複数箇所に、上記第２ゲート用保持部材から上記搬送路方向にはみ出しかつその折丁通過間隔が上記第１のゲートの弾性部材配置部位における間隔より狭くなるように配置された第２ゲート弾性部材と、を備えて形成された構成となっている。
【００２２】
更に上記第１のゲートの弾性部材及び上記第２のゲートの第２ゲート弾性部材それぞれがウレタン製であり、かつ上記第１のゲートにおける、弾性部材の板材からのはみ出し量を２〜３ｍｍとし、上記第２のゲートにおける、第２ゲート弾性部材の第２ゲート用保持部材からのはみ出し量を０．２〜０．８ｍｍとした構成を有している。
【００２３】
そして、上記第１のゲートの第１ゲート板材が板ばね製であり、上記第２のゲートの第２ゲート用保持部材が合成樹脂製であり、
また、上記折丁通過間隔調整手段が、上記第１のゲート及び第２のゲートにおける、折丁の通過する間隔方向に加圧するばね部材を含む構造である構成となっている。
【００２４】
更にまた、上記搬送路が、その搬送方向に延在、送行する複数本の搬送ベルトを備えて成り、上記折丁積載部が、上記搬送路の複数本の搬送ベルトの間に延在、配置された折丁積載台と、この折丁積載台に対し、折丁搬送方向前方部位に、上記搬送路と直交するように配置されて上記折丁の前方辺部分を当接させる折丁当接板と、を含んで成り、上記折丁通過間隔調整手段が、上記折丁当接板に対し、その面にスライド可能なように配置されてその搬送路側の辺部分に、上記第１のゲートを保持固定し、かつ上記第２のゲートが配置固定された連結板を保持固定して、これら第１のゲート及び第２のゲートの折丁通過間隔を同時に調整可能とした通過間隔調整板を備えて成る構成を有している。
【実施例】
【００２５】
次に本発明の実施例について図面を参照して説明する。
図１は本発明の一実施例を示す側面図、図２は図１に示された折丁供給装置を、その折丁搬送方向手前側から見た図である。
この実施例の折丁供給装置は、配達単位に折り畳まれた新聞・雑誌類の折丁を、例えば、ポリエチレンフィルム製のラッピング袋に袋ずめする等の次の処理工程へと送出する装置であって、その主要構成は次の５構成となっている。
【００２６】
即ち、まず第１に、折丁を複数部積載しておく折丁積載部１００、
第２に、この折丁積載部１００に積載されている折丁に対し、折丁搬送時、これら折丁のうちの最下層に位置する折丁の下面に摩擦接触してこれら折丁を、その最下層側から、次の処理工程方向へと送出、搬送する搬送路２４０、
第３に、折丁積載部１００の下層から送出された折丁が通過する第１のゲート３００、
第４に、この第１のゲート３００を通過して来た折丁に対し、最下層の１部のみを通過させる第２のゲート４００、
第５に、この第２のゲート４００の折丁が通過する間隔を折丁の厚さ寸法に合わせて調整し、この第２のゲート４００を通過する折丁の部数が１部となるようにする折丁通過間隔調整手段５００。
【００２７】
次にこれら構成の更なる詳細について説明する。
前述の第１のゲート３００は、上記折丁の幅方向両縁部と対応した部位に設けられ、上記搬送路２４０との間隔が搬送方向前方側程狭くなる形状に形成された第１ゲート板材３１０と、この板材から搬送路方向にはみ出すように取付けられてその折丁の通過する間隔を決定する弾性部材３２０と、を備えて形成され、
前述の第２のゲート４００は、搬送対象の折丁に対しその幅方向に延在しかつ搬送路２４０と直交する面を有する第２ゲート用保持部材４１０と、この第２ゲート用保持部材４１０の搬送路と直交する面に対し、第１のゲート３００の弾性部材３２０配置位置の内側となる複数箇所に、上記第２ゲート用保持部材４１０からはみ出しかつその折丁通過間隔が前述の第１のゲート３００の弾性部材３２０配置部位における間隔より狭くなるように配置された第２ゲート用弾性部材４２０と、を備えて形成され、
更に、第１のゲート３００の弾性部材３２０及び第２のゲート４００の第２ゲート用弾性部材４２０それぞれがウレタン（３２１，４２１）製であり、かつ第１のゲート３００における、弾性部材の第１ゲート板材３１０からのはみ出し量を２〜３ｍｍとし、第２のゲート４００における、第２ゲート用弾性部材４２０の第２ゲート用保持部材４１０からのはみ出し量を０．２〜０．８ｍｍとするのが妥当である。
【００２８】
また、第１のゲート３００の第１ゲート板材３１０が板ばね製であり、第２のゲート４００の第２ゲート用保持部材４１０が合成樹脂製である、構造を成し、折丁通過間隔調整手段５００が、第１のゲート３００及び第２のゲート４００の、折丁の通過する間隔方向に加圧する加圧ばね５２０を含む構成となっており、
更にまた、搬送路２４０は、その搬送方向に延在、送行する複数本の搬送ベルト２３０を備えて成り、折丁積載部１００が、搬送路２４０の複数本の搬送ベルト２３０の間に延在、配置された折丁積載台１１０と、この折丁積載台１１０に対し、折丁搬送方向前方部位に、搬送路２４０と直交するように配置されて折丁の前方辺部分を当接させる折丁当接板１２０と、を含んで成り、折丁通過間隔調整手段５００が、折丁当接板１２０に対し、その面にスライド可能なように配置されてその搬送路側の辺部分に、第１のゲート３００を保持固定し、かつ第２のゲート４００が配置固定されたゲート連結板５３０を保持固定して、これら第１のゲート３００及び第２のゲート４００の折丁通過間隔を同時に調整可能とした通過間隔調整板５１０を備えて構成される。
【００２９】
なお、搬送路２４０を形成する搬送手段２００は、その他に、図示省略されているモータで駆動される搬送駆動軸２１０及び送出しプーリ２２０を含む他、前述の搬送ベルト２３０も含む。
また、サイドガイド６００は、積載、搬送される折丁に対し、積載、搬送時に、その幅方向両サイドをガイドする。
【００３０】
この実施例で示されるように、本発明では、隙間調整可能であって、下流側に向うに従い新聞通路の隙間が狭くなるように形成された第１のゲートと、垂直式の第２のゲートを組合わせたので、たとえ第１のゲートで重送・連鎖が発生したとしても、第２のゲートで１部ずつに分離することができるので、薄い新聞から厚い新聞まで供給不良を起こすことなく確実に１部ずつ供給できる。
【００３１】
また、第１ゲートは板ばねで形成されており、このバネ作用で新聞をベルトに押しつけることにより、搬送圧を加える機能を兼ねる。この構成により、第２ゲートへ強い搬送力で押し込むので、第２ゲートが多少狭くても通過・分離できる。したがって、第２ゲートの隙間調整は容易となる。
更に、それぞれのゲートの先端部からはみ出すように、ウレタン板が設けられていることにより、このウレタンとの摩擦によって、２部目を確実にストップさせることができる。
【図面の簡単な説明】
【００３２】
【図１】本発明の一実施例を示す側面図である。
【図２】図１に示された実施例の折丁供給装置をその折丁搬送方向手前側から見た図である。
【図３】背景技術における折丁供給装置の一例を説明するための装置全体の斜視図である。
【図４】図３に示された折丁供給装置の折丁供給動作を説明するための、供給動作順に示した側面図である。
【符号の説明】
【００３３】
１ａ，１ｂ  側板
２  当て板
３  連結板
６  可動台
１８  ベルト
２５  送出規制板
２８  ばね
５０  フレーム
６０  搬送路
７０  昇降駆動部
１００  折丁積載部
１１０  折丁積載台
１２０  折丁当接板
２００  搬送手段
２１０  搬送駆動軸
２２０  送出しプーリ
２３０  搬送ベルト
２４０  搬送路
３００  第１のゲート
３１０  第１ゲート板材
３２０  弾性部材
３２１  ウレタン
４００  第２のゲート
４１０  第２ゲート用保持部材
４２０  第２ゲート用弾性部材
４２１  ウレタン
５００  折丁通過間隔調整手段
５１０  通過間隔調整板
５２０  加圧ばね
５３０  ゲート連結板
６００  サイドガイド
Ｈ  積載台
Ｐ  積載物
【図１】
2006143463.tif 000003
【図２】
2006143463.tif 000004
【図３】
2006143463.tif 000005
【図４】
2006143463.tif 000006